(57)【要約】      （修正有）【課題】種々のデザインを可能とし、より訴求力を高めることができる表示体を提供する。【解決手段】表示体は、フレーム３の前面をポスター２で覆い、このポスター２およびフレーム３にカバー４を被せて作成される。フレーム３には電子ペーパー装置３２ａが組み込まれる。電子ペーパー装置３２ａは、平面視においてフレーム３内の範囲を分割するように定められた複数の領域のいずれにも配置可能であり、電子ペーパー装置３２ａを配置した領域以外の領域にはダミー部材３２が組み込まれる。ポスター２は、電子ペーパー装置３２ａに対応する位置に開口２１を有する。【選択図】図２
2016024363.tif 000002
【特許請求の範囲】
【請求項１】
電子ペーパー装置を組み込むフレームと、
前記フレームの前面を覆う表示媒体と、
を有し、
前記電子ペーパー装置は、平面視において前記フレーム内の範囲を分割するように定められた複数の所定領域のいずれにも配置可能であり、
前記表示媒体は、前記電子ペーパー装置に対応する位置に開口を有することを特徴とする表示体。
【請求項２】
前記電子ペーパー装置と平面視において略同一の外周形状を有するダミー部材を更に有し、
前記所定領域のそれぞれに、前記電子ペーパー装置もしくは前記ダミー部材が配置されることを特徴とする請求項１に記載の表示体。
【請求項３】
前記電子ペーパー装置および前記ダミー部材が、前記フレームから取り外し可能であることを特徴とする請求項２に記載の表示体。
【請求項４】
前記電子ペーパー装置および前記ダミー部材のうち１つを取り外した状態で、前記電子ペーパー装置および前記ダミー部材の残りが、前記フレーム内に保持された状態で前記所定領域間を移動可能であることを特徴とする請求項２に記載の表示体。
【請求項５】
前記電子ペーパー装置および前記ダミー部材のうち少なくとも１つに、前面を外周から切欠いた切欠きが設けられることを特徴とする請求項２から請求項４のいずれかに記載の表示体。
【請求項６】
前記表示媒体および前記フレームに被せるためのカバーを更に有することを特徴とする請求項１から請求項５のいずれかに記載の表示体。
【発明の詳細な説明】
【技術分野】
【０００１】
本発明は、電子ペーパーによる表示を行う表示体に関する。
【背景技術】
【０００２】
近年、電子ペーパーを用いて広告等の表示を行うことが多くなっている。電子ペーパーは、簡易な装置構成かつ少ない消費電力にて、サーバなど外部装置から表示データを受信して表示させることができ、時と場合に応じた適切な表示が簡単にできる利点がある（特許文献１、２参照）。
【先行技術文献】
【特許文献】
【０００３】
【特許文献１】特開2009-210948号公報
【特許文献２】特開2013-195459号公報
【発明の概要】
【発明が解決しようとする課題】
【０００４】
現在、広告等の表示においては、種々のデザインを可能とし、より訴求力を高めることができるものが求められており、電子ペーパーによる表示についても例外ではない。
【０００５】
本発明は上記の問題を鑑みてなされたもので、種々のデザインを可能とし、より訴求力を高めることができる表示体を提供することを目的とする。
【課題を解決するための手段】
【０００６】
前述した課題を解決するための本発明は、電子ペーパー装置を組み込むフレームと、前記フレームの前面を覆う表示媒体と、を有し、前記電子ペーパー装置は、平面視において前記フレーム内の範囲を分割するように定められた複数の所定領域のいずれにも配置可能であり、前記表示媒体は、前記電子ペーパー装置に対応する位置に開口を有することを特徴とする表示体である。
【０００７】
本発明によれば、ポスター等の表示媒体による表示に加え、電子ペーパー装置によって時と場合に応じた表示ができ、これらの表示により訴求力を高めることができる。また、電子ペーパー装置はフレーム内を分割した所定領域のいずれにも配置でき、電子ペーパー装置の位置ならびにこれに応じた表示媒体の開口の位置を自由に定めることができるから、デザインの幅が広く利便性も高い。
【０００８】
前記電子ペーパー装置と平面視において略同一の外周形状を有するダミー部材を更に有し、前記所定領域のそれぞれに、前記電子ペーパー装置もしくは前記ダミー部材が配置されることが望ましい。
これにより、フレーム内の範囲を電子ペーパー装置とダミー部材で埋めて、フレーム内でこれらが移動しないように固定できる。
【０００９】
前記電子ペーパー装置および前記ダミー部材が、前記フレームから取り外し可能であることが望ましい。あるいは、前記電子ペーパー装置および前記ダミー部材のうち１つを取り外した状態で、前記電子ペーパー装置および前記ダミー部材の残りが、前記フレーム内に保持された状態で前記所定領域間を移動可能であることも望ましい。
これにより、電子ペーパー装置とダミー部材の位置を自由に入れ替えて配置を容易に変更できる。
【００１０】
前記電子ペーパー装置および前記ダミー部材のうち少なくとも１つに、前面を外周から切欠いた切欠きが設けられることが望ましい。
これにより、切欠きをつまんで電子ペーパー装置やダミー部材を把持でき、その組み込み、取り外しが容易になる。
【００１１】
前記表示媒体および前記フレームに被せるためのカバーを更に有することが望ましい。
カバーにより表示媒体およびフレームを保護でき、かつ表示媒体でフレームを覆った状態を簡単に固定することができる。
【発明の効果】
【００１２】
本発明により、種々のデザインを可能とし、より訴求力を高めることができる表示体を提供することができる。
【図面の簡単な説明】
【００１３】
【図１】表示体１を示す図
【図２】ポスター２、フレーム３およびカバー４を示す図
【図３】フレーム３内の領域Ａを示す図
【図４】フレーム３を示す図
【図５】ダミー部材３２、電子ペーパー装置３２ａを示す図
【図６】フレーム３にダミー部材３２、電子ペーパー装置３２ａを組み込んだ状態を示す図
【図７】フレーム３をポスター２で覆った状態を示す図
【図８】ポスター２およびフレーム３をカバー４に挿入した状態を示す図
【図９】フレーム３’を示す図
【図１０】フレーム３’を示す図
【図１１】ダミー部材３５を示す図
【図１２】電子ペーパー装置３５ａを示す図
【図１３】ダミー部材３７を示す図
【図１４】ダミー部材３７を取り外した状態を示す図
【図１５】ダミー部材３５の移動を示す図
【図１６】電子ペーパー装置３５ａの移動後の状態を示す図
【図１７】ダミー部材３７の組み込み後の状態を示す図
【発明を実施するための形態】
【００１４】
以下、図面に基づいて本発明の好適な実施形態について詳細に説明する。
【００１５】
［第１の実施形態］
（１．表示体１）
図１は本発明の第１の実施形態に係る表示体１の外観を示す図である。この表示体１は、ポスター（表示媒体）２、フレーム３、およびカバー４等を有する。表示体１は、フレーム３の前面をポスター２で覆い、これらにカバー４を被せて構成される。表示体１の前面のサイズは自由に定めることができる。例えば縦1030mm×横728mm程度の大きさとできる。
【００１６】
フレーム３には電子ペーパー装置が組み込まれており、ポスター２には、電子ペーパー装置の電子ペーパー部３３に対応する位置に開口２１が設けられる。従って、ポスター２でフレーム３の前面を覆った状態でも、開口２１を通して電子ペーパー部３３による表示が視認可能である。
【００１７】
図２（ａ）はポスター２を示す図である。ポスター２は、紙等の媒体上に印刷を行い絵柄を形成したものである。本実施形態では、ポスター２の平面を矩形状とする。ポスター２の絵柄や表示内容は特に限定されないが、表示内容としては、例えば、商品やサービス、特定の場所やイベントに関する広告などがある。
【００１８】
ポスター２は自由に作成、差替を行うことができる。開口２１の位置も、電子ペーパー装置の位置に対応していればよく、図２（ａ）に示す位置だけでなく、後述する所定領域に対応する位置であればいずれにも自由に設定できる。
【００１９】
図２（ｂ）はフレーム３を示す図である。図２（ｂ）に示すように、フレーム３は矩形状の枠体であり、内側には電子ペーパー装置３２ａとダミー部材３２が配置される。なお、フレーム３の厚みは特に限定されないが、例えば12mm程度とする。
【００２０】
電子ペーパー装置３２ａには前記の電子ペーパー部３３が設けられる。電子ペーパー部３３は、制御部、表示部、通信部、および電池などの電源等を備える電子ペーパーである。
【００２１】
電子ペーパー部３３は、パソコン・スマートフォン・タブレット端末等の各種端末やサーバなどの外部装置から、無線通信あるいは有線通信にて表示データを受信して表示させることができ、前面に設けた表示部での表示内容をリアルタイムに変更できる。電子ペーパー部３３のサイズは自由に定めることができ、例えば前面の表示部を４．４インチサイズ、１０．７インチサイズ等とできる。電子ペーパー部３３の表示内容も特に限定されないが、表示内容の例としては、日時、その日のイベント、温度や湿度等を含む天候、天候に応じた情報、商品の紹介や場所の案内等がある。図１の例では、電子ペーパー部３３で天候を表示している。
【００２２】
電子ペーパー装置３２ａは、平面視においてフレーム３内の範囲を分割するように定められた複数の矩形状の領域（所定領域）のうちの１領域に配置される。図３はこの領域Ａを模式的に示したものである。フレーム３内の他の領域Ａには、ダミー部材３２が配置される。電子ペーパー装置３２ａとダミー部材３２は平面視において略同一の外周形状を有し、この外周形状は領域Ａの形状に対応する。これらダミー部材３２と電子ペーパー装置３２ａによりフレーム３内の範囲が埋められる。
【００２３】
図２（ｃ）はカバー４を示す図である。カバー４は全体として箱型の形状を有し、背面、左右面および底面を不透明の板材４１で構成し、前面を透明の板材４３により構成したものである。カバー４の頂面は開口４５となっている。
【００２４】
（２．フレーム３、ダミー部材３２、電子ペーパー装置３２ａ）
次に、上記のフレーム３、ダミー部材３２、電子ペーパー装置３２ａについて詳細に説明する。
【００２５】
図４（ａ）は、フレーム３を、ダミー部材３２と電子ペーパー装置３２ａを省略して示す図である。図４（ｂ）は図４（ａ）の線Ａ−Ａにおける断面を示したものである。
【００２６】
図４（ａ）、（ｂ）に示すように、フレーム３内の範囲には窪み３ａが形成される。この窪み３ａにおいて、前記した領域Ａ（図３参照）の境界にあたる位置には格子部材３１が設けられる。
【００２７】
図５（ａ）はダミー部材３２を示す図である。図５（ａ）の上図はダミー部材３２の前面を示す図であり、下図は上図の線Ｂ−Ｂにおける断面を示したものである。
【００２８】
図５（ａ）に示すように、ダミー部材３２は略矩形板状の前面部材３２１および背面部材３２２を有し、背面部材３２２の上に前面部材３２１を重ねた形となっている。背面部材３２２の平面形状は前面部材３２１よりも全体的に小さく、ダミー部材３２の側面は、背面側で後退した段状に形成されている。図５（ａ）の上図の点線は、背面部材３２２の外周部を示している。
【００２９】
前面部材３２１には、部材を外周から切欠いた切欠き３２１ａが設けられる。この例では、前面部材３２１の対向する一対の辺のそれぞれに切欠き３２１ａが設けられる。
【００３０】
図５（ｂ）は、電子ペーパー装置３２ａを図５（ａ）と同様に示す図である。図５（ｂ）に示すように、電子ペーパー装置３２ａは、ダミー部材３２と同様の形状を有するが、前面部材３２１の中央部に電子ペーパー部３３が設けられる点で異なる。
【００３１】
図６は、上記のダミー部材３２および電子ペーパー装置３２ａをフレーム３に組み込んだ状態を示す図であり、図４（ｂ）に示したフレーム３の断面に並べて配置した状態を示す。
【００３２】
図６に示すように、ダミー部材３２および電子ペーパー装置３２ａは、格子部材３１の内側に背面部材３２２を嵌め込むようにして、フレーム３内に取り外し可能に配置できる。ダミー部材３２と電子ペーパー装置３２ａの位置を入れ替える場合は、それぞれを取り外した後、位置を入れ替えて組み込み直せばよい。ダミー部材３２および電子ペーパー装置３２ａは、切欠き３２１ａを指でつまんで把持することにより、組み込み及び取り外しが容易にできる。このように、ダミー部材３２と電子ペーパー装置３２ａはいずれの領域Ａにも配置でき、その変更も容易である。
【００３３】
（３．表示体１の作成）
表示体１を作成するには、前記した領域Ａのいずれかに対応する位置に開口２１を設けたポスター２を準備する一方、当該開口２１に対応する領域Ａに電子ペーパー装置３２ａを配置し、その他の領域Ａにダミー部材３２を配置したフレーム３を用意する。
【００３４】
そして、フレーム３の前面をポスター２で覆い、開口２１の位置を電子ペーパー装置３２ａの電子ペーパー部３３の位置に対応させる。図７（ａ）はこの状態を示したものであり、図７（ｂ）は図７（ａ）の線Ｃ−Ｃにおける断面を示したものである。
【００３５】
図８（ａ）の矢印に示すように、このフレーム３およびポスター２を開口４５からカバー４に挿入することで、図１で説明した表示体１が形成できる。図８（ａ）、（ｂ）は、フレーム３およびポスター２をカバー４に挿入した状態を図７（ａ）、（ｂ）と同様に示したものである。
【００３６】
以上説明したように、本実施形態の表示体１によれば、ポスター２による表示に加え、電子ペーパー装置３２ａによって時と場合に応じた表示ができ、これらの表示により訴求力を高めることができる。また、電子ペーパー装置３２ａはフレーム３内を分割した領域Ａのいずれにも配置でき、電子ペーパー装置３２ａの位置ならびにこれに応じたポスター２の開口２１の位置を自由に定めることができるから、デザインの幅が広く利便性も高い。
【００３７】
さらに、本実施形態では、フレーム３内の範囲を電子ペーパー装置３２ａとダミー部材３２で埋めて、フレーム３内でこれらが移動しないように固定できる。また、電子ペーパー装置３２ａとダミー部材３２は組み込み、取り外しが自由であり、位置を自由に入れ替えて配置を変更することが可能である。この際、切欠き３２１ａをつまんで電子ペーパー装置３２ａやダミー部材３２を把持でき、組み込み、取り外しが容易にできる。
【００３８】
また、カバー４によりポスター２およびフレーム３を保護でき、かつポスター２でフレーム３を覆った状態を簡単に固定することができる。ただし、別途の手段でポスター２をフレーム３に固定することも可能である。
【００３９】
しかしながら、本発明はこれに限ることはない。例えばフレーム３やポスター２の平面形状は、本実施形態のように矩形状のものに限ることはなく、様々な形状に定めることができる。フレーム３内のダミー部材３２や電子ペーパー装置３２ａの平面形状も、これに応じて定めることができる。例えばフレーム３の平面形状を三角形状とするとともに、ダミー部材３２や電子ペーパー装置３２ａの平面形状を三角形状に定めることも可能である。また、カバー４の構成等も特に限定されない。例えば、カバー４の開口は頂面に限定されず、例えば左右面であってもよい。
【００４０】
また、本実施形態では電子ペーパー装置３２ａを１つ設けたが、複数設けることも可能である。ポスター２の開口２１は、電子ペーパー装置３２ａの数および位置に対応させて設ければよい。さらに、本実施形態ではポスター２でフレーム３を覆ったが、フレーム３を覆う表示媒体はポスター２に限らず、何らかの表示が行われるものであればよい。
【００４１】
［第２の実施形態］
次に、本発明の第２の実施形態について説明する。第２の実施形態は、フレームや電子ペーパー装置、ダミー部材等の構成において第１の実施形態と異なる。第２の実施形態は、第１の実施形態と異なるこれらの点について主に説明し、同様の点については図等で同じ符号を付すなどして説明を省略する。
【００４２】
（１．フレーム３’、ダミー部材３５、３７、電子ペーパー装置３５ａ）
図９は第２の実施形態に係るフレーム３’を示す図である。このフレーム３’も、第１の実施形態と同様、平面視においてフレーム３’内の範囲を分割するように定められた複数の領域Ａ（図３参照）のそれぞれに、電子ペーパー装置３５ａまたはダミー部材３５、３７を配置するものである。これらは平面視において略同一の外周形状を有し、この外周形状は領域Ａの形状に対応する。ただし本実施形態では、ダミー部材３７を１つ取り外すと、残りの電子ペーパー装置３５ａおよびダミー部材３５が、フレーム３’内に保持された状態で領域Ａ間を移動可能であり、この点で第１の実施形態と異なる。
【００４３】
図１０（ａ）は、図４（ａ）と同様、フレーム３’について、ダミー部材３５、３７と電子ペーパー装置３５ａを省略して示す図である。図１０（ｂ）は図１０（ａ）の線Ｄ−Ｄにおける断面、図１０（ｃ）は図１０（ａ）の線Ｅ−Ｅにおける断面を示したものである。
【００４４】
フレーム３’は矩形状の枠体であり、左辺および下辺の内側面に、内側へ向かって突出する突起３１２が設けられる。また、右辺および上辺の内側面に、外側へ向かって凹となる溝３１１が設けられる。
【００４５】
図１１はダミー部材３５を示す図である。図１１（ａ）はダミー部材３５の斜視図であり、図１１（ｂ）はダミー部材３５の前面を示す。図１１（ｃ）は図１１（ｂ）の線Ｆ−Ｆにおける断面であり、図１１（ｄ）は図１１（ｂ）の線Ｇ−Ｇにおける断面である。
【００４６】
図１１に示すように、ダミー部材３５は、略直方体形状の本体部材３５１の上側面および右側面に、外側へと突出する突起３５３を設け、下側面および左側面に、内側へ向かって凹となる溝３５２を設けたものである。
【００４７】
図１２は電子ペーパー装置３５ａを示す図である。図１２（ａ）は電子ペーパー装置３５ａの前面を示す。図１２（ｂ）は図１２（ａ）の線Ｈ−Ｈにおける断面であり、図１２（ｃ）は図１２（ａ）の線Ｊ−Ｊにおける断面である。
【００４８】
図１２に示すように、電子ペーパー装置３５ａは、ダミー部材３５と同様の形状を有するが、本体部材３５１の中央部に電子ペーパー部３３が設けられる点で異なる。
【００４９】
図１３はダミー部材３７を示す図である。図１３（ａ）はダミー部材３７の前面を示す。図１３（ｂ）は図１３（ａ）の線Ｋ−Ｋにおける断面であり、図１３（ｃ）は図１３（ａ）の線Ｍ−Ｍにおける断面である。
【００５０】
図１３に示すように、ダミー部材３７は、略矩形板状の前面部材３７１および背面部材３７２を有し、背面部材３７２の上に前面部材３７１を重ねた形となっている。背面部材３７２の平面形状は前面部材３７１よりも小さく、ダミー部材３７の左側面と下側面は、背面側で後退した段状に形成されている。図１３（ａ）の点線は、背面部材３７２の外周部を示している。
【００５１】
前面部材３７１には、部材を外周から切欠いた切欠き３７１ａが設けられる。切欠き３７１ａは、前面部材３７１の対向する一対の辺のそれぞれに設けられる。
【００５２】
（２．ダミー部材３５、電子ペーパー装置３５ａの移動）
前記したように、このフレーム３’では、ダミー部材３７を取り外すと、残りの電子ペーパー装置３５ａおよびダミー部材３５が、フレーム３’内に保持された状態で前記の領域Ａ間を移動できる。
【００５３】
図１４（ａ）は、ダミー部材３７を取り外した状態のフレーム３’を示す図である。図１４（ｂ）は図１４（ａ）の線Ｎ−Ｎにおける断面、図１４（ｃ）は図１４（ａ）の線Ｑ−Ｑにおける断面を示したものである。
【００５４】
本実施形態では、上下にダミー部材３５や電子ペーパー装置３５ａが並んだ状態において、前記した左側面の溝３５２同士が上下に連続する。
【００５５】
図１４（ｂ）、（ｃ）に示すように、この溝３５２やフレーム３’の右辺の溝３１１には、その左側にあるダミー部材３５、電子ペーパー装置３５ａの右側面の突起３５３や、フレーム３’の左辺の突起３１２が嵌り込む。
【００５６】
同様に、左右にダミー部材３５や電子ペーパー装置３５ａが並んだ状態では、前記した下側面の溝３５２同士が左右に連続する。この溝３５２やフレーム３’の上辺の溝３１１には、その下方にあるダミー部材３５、電子ペーパー装置３５ａの上側面の突起３５３や、フレーム３’の下辺の突起３１２が嵌り込む。
【００５７】
これらの嵌合により、ダミー部材３５と電子ペーパー装置３５ａがフレーム３’内に保持され、かつ突起３５３が嵌り込んだ溝をガイドとして上下左右にスライド可能となっている。
【００５８】
図１５（ａ）、（ｂ）はこの例をダミー部材３５について示す図である。図１５（ａ）では、上下に並んだダミー部材３５間で左側面の溝３５２が上下に連続し、この溝３５２に、左側のダミー部材３５の右側面の突起３５３が嵌り込んでいる。この左側のダミー部材３５は、上記の溝３５２に沿って矢印に示すように上下にスライド可能である。
【００５９】
同じく図１５（ｂ）では、左右に並んだダミー部材３５間で下側面の溝３５２が左右に連続し、この溝３５２に、下方のダミー部材３５の上側面の突起３５３が嵌り込んでいる。この下方のダミー部材３５は、上記の溝３５２に沿って矢印に示すように左右にスライド可能である。
【００６０】
以上は電子ペーパー装置３５ａの場合でも同様である。またダミー部材３５や電子ペーパー装置３５ａの突起３５３がフレーム３’の溝３１１に嵌り込む場合も同様である。
【００６１】
従って、例えば図１４（ａ）に示した状態から電子ペーパー装置３５ａを左側に移動させる場合は、まず矢印Ｐ１に示すように、電子ペーパー装置３５ａの左側にあるダミー部材３５を、ダミー部材３７を取り外して空いた下方の領域に移動させ、その後、矢印Ｐ２に示すように、電子ペーパー装置３５ａを左側に移動させればよい。この状態が図１６である。
【００６２】
その後、電子ペーパー装置３５ａが移動して空いた領域に先ほどのダミー部材３７を配置する。この状態を示すのが図１７（ａ）である。また、図１７（ｂ）は図１７（ａ）の線Ｒ−Ｒによる断面、図１７（ｃ）は図１７（ａ）の線Ｓ−Ｓによる断面である。
【００６３】
先ほど説明したように、ダミー部材３７の左側面および下側面は、背面側で後退する段状に形成されており、ダミー部材３７の配置時には、この後退によってできた空間に、ダミー部材３５や電子ペーパー装置３５ａの突起３５３が嵌め込まれる。従って、ダミー部材３７の配置時に、ダミー部材３５や電子ペーパー装置３５ａの突起３５３が邪魔になることがない。
【００６４】
この第２の実施形態でも、電子ペーパー装置３５ａを配置する領域を自由に定めることができ、その変更も容易である等の第１の実施形態と同様の効果が得られる。さらに、ダミー部材３５や電子ペーパー装置３５ａがフレーム３’と一体化しており、バラバラになることもない。
【００６５】
なお、本実施形態ではダミー部材３７を取り外し可能としたが、電子ペーパー装置３５ａを取り外し可能とすることもできる。この場合、前記の切欠き３７１ａと同様の切欠きを電子ペーパー装置３５ａに設けてもよい。
【００６６】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００６７】
１；表示体
２；ポスター
３、３’；フレーム
４；カバー
３２、３５、３７；ダミー部材
３２ａ、３５ａ；電子ペーパー装置
３３；電子ペーパー部
【図１】
2016024363.tif 000003
【図２】
2016024363.tif 000004
【図３】
2016024363.tif 000005
【図４】
2016024363.tif 000006
【図５】
2016024363.tif 000007
【図６】
2016024363.tif 000008
【図７】
2016024363.tif 000009
【図８】
2016024363.tif 000010
【図９】
2016024363.tif 000011
【図１０】
2016024363.tif 000012
【図１１】
2016024363.tif 000013
【図１２】
2016024363.tif 000014
【図１３】
2016024363.tif 000015
【図１４】
2016024363.tif 000016
【図１５】
2016024363.tif 000017
【図１６】
2016024363.tif 000018
【図１７】
2016024363.tif 000019